(57)【要約】【課題】  例えば、各種多様な情報記録装置によって行われるＯＰＣ処理において、試し書き領域をより効率的に利用することを可能ならしめる。【解決手段】  情報記録媒体は、記録用のレーザ光を照射することによって、記録情報を記録可能な記録領域（例えば、データエリア）と、レーザ光の較正用の所定長を有する試し書き情報であってその終了端に光学的に検出可能な目印信号（例えば、ＲＦマーク）が選択的に付加される該試し書き情報を、トラックパスに沿って順番に記録するための試し書き領域（例えば、ＰＣＡ）と、目印信号が記録されているか否かを示すフラグ情報（２０１）を記録するための管理情報記録領域（１５０）とを備える。【選択図】  図２
2006172569.tif 000002
【特許請求の範囲】
【請求項１】
記録用のレーザ光を照射することによって、記録情報をトラックパスに沿って記録可能な記録領域と、
前記レーザ光を照射することによって、前記レーザ光の較正用の前記トラックパスに沿って所定長を有する試し書き情報であってその終了端に光学的に検出可能な目印信号が選択的に付加される該試し書き情報を、前記トラックパスに沿って順番に記録するための試し書き領域と、
前記目印信号が記録されているか否かを示すフラグ情報を記録するための管理情報記録領域と
を備えることを特徴とする情報記録媒体。
【請求項２】
前記管理情報記録領域においては、前記終了端に関するアドレス情報が、更に記録されていることを特徴とする請求項１に記載の情報記録媒体。
【請求項３】
前記情報記録媒体は、ウォブリングされたトラックを備えると共に、プリフォーマットアドレス情報が記録されており、
前記管理情報記録領域においては、前記所定長が前記プリフォーマットアドレス情報の管理単位で示された試し書き単位情報量が更に記録されることを特徴とする請求項１に記載の情報記録媒体。
【請求項４】
前記試し書き情報の記録を行う情報記録装置を識別するための識別情報を記録するための識別情報記録領域を更に備えることを特徴とする請求項１に記載の情報記録媒体。
【請求項５】
請求項１から４のいずれか一項に記載の情報記録媒体に前記記録情報を記録するため情報記録装置であって、
少なくとも前記記録領域に前記レーザ光を照射することによって、少なくとも前記記録情報を前記トラックパスに沿って記録するため記録手段と、
前記フラグ情報を前記管理情報記録領域から読み出す読出手段と、
前記読み出されたフラグ情報に基づいて、前記目印信号が記録されているか否かを判定する判定手段と、
前記判定手段の判定結果によって、前記目印信号が記録されている場合、前記試し書き領域において、当該目印信号を基準とした開始端から、前記試し書き情報を記録するように前記記録手段を制御する第１制御手段と、
前記記録された試し書き情報を再生することにより、前記レーザ光の最適記録パワーを求める最適記録パワー検出手段と、
前記試し書き情報が記録される終了端において、前記目印信号を選択的に該試し書き情報に付加して記録するように前記記録手段を制御する第２制御手段と、
前記管理情報記録領域における前記フラグ情報を、前記目印信号が記録されている旨に更新する更新手段と
を備えることを特徴とする情報記録装置。
【請求項６】
前記情報記録媒体は、ウォブリングされたトラックを備えると共に、プリフォーマットアドレス情報が記録されており、
前記第１制御手段は、前記プリフォーマットアドレス情報の管理単位より小さいスロット単位に基づいて、前記試し書き情報を記録するように前記記録手段を制御し、
前記最適記録パワー検出手段は、前記スロット単位に基づいて、前記記録された試し書き情報を再生することにより、前記レーザ光の最適記録パワーを求めることを特徴とする請求項５に記載の情報記録装置。
【請求項７】
前記情報記録媒体の前記管理情報記録領域においては、前記終了端に関するアドレス情報が、更に記録されており、
前記第１制御手段は、前記判定手段の判定結果によって、前記目印信号が記録されていない場合、前記アドレス情報を基準として予め設定された管理単位で、前記試し書き情報を記録するように前記記録手段を制御し、
前記更新手段は、前記フラグ情報を、前記目印信号が記録されている旨に更新すると共に、前記アドレス情報を新しく更新することを特徴とする請求項５又は６に記載の情報記録装置。
【請求項８】
請求項１から４のいずれか一項に記載の情報記録媒体の少なくとも前記記録領域に前記レーザ光を照射することによって、少なくとも前記記録情報を前記トラックパスに沿って記録するため記録手段を備えた情報記録装置における情報記録方法であって、
前記フラグ情報を前記管理情報記録領域から読み出す読出工程と、
前記読み出されたフラグ情報に基づいて、前記目印信号が記録されているか否かを判定する判定工程と、
前記判定工程の判定結果によって、前記目印信号が記録されている場合、前記試し書き領域において、当該目印信号を基準とした開始端から、前記試し書き情報を記録するように前記記録手段を制御する第１制御工程と、
前記記録された試し書き情報を再生することにより、前記レーザ光の最適記録パワーを求める最適記録パワー検出工程と、
前記試し書き情報が記録される終了端において、前記目印信号を選択的に該試し書き情報に付加して記録するように前記記録手段を制御する第２制御工程と、
前記管理情報記録領域における前記フラグ情報を、前記目印信号が記録されている旨に更新する更新工程と
を備えることを特徴とする情報記録方法。
【請求項９】
請求項５に記載の情報記録装置に備えられたコンピュータを制御する記録制御用のコンピュータプログラムであって、該コンピュータを、前記記録手段、前記読出手段、前記判定手段、前記第１制御手段、前記最適記録パワー検出手段、前記第２制御手段、及び、更新手段の少なくとも一部として機能させることを特徴とする記録制御用のコンピュータプログラム。
【発明の詳細な説明】
【技術分野】
【０００１】
本発明は、追記型光ディスク等の情報記録媒体に情報を記録するための、例えば追記型光ディスクレコーダ等の情報記録装置、このような情報記録装置において実施される最適記録パワーを検出する情報記録方法、並びにコンピュータプログラムの技術分野に関する。
【背景技術】
【０００２】
例えば、光ディスク等の情報記録媒体を記録する情報記録再生装置においては、光ディスクの種類、情報記録再生装置の種類及び記録速度等に応じて、ＯＰＣ（Optimum Power Calibration）処理により、記録レーザパワーのキャリブレーション（較正）が行われ、最適記録パワーが設定される。これにより、光ディスクにおける情報記録面の記録特性のばらつき等に対応している。例えば、光ディスクが装填されて書き込みのコマンドが入力されると、順次段階的に光強度が切り換えられて試し書き用のデータが、専用試し書き領域であるパワーキャリブレーションエリア（以下適宜、「ＰＣＡ：Power Calibration Area」と称す）に記録され、試し書きの処理、所謂、ＯＰＣ処理が実行される。その後、このようにして記録された試し書き用のデータが再生され、この再生結果が所定の評価基準により判定されて、最適記録パワーが設定される。
【０００３】
ＯＰＣ処理の履歴情報を、情報記録媒体の管理情報記録領域に記録する第１の機能を保持する情報記録装置が考案されている。より具体的には、この情報記録装置は、ＢＤ−Ｒ等の追記型情報記録媒体に対するＯＰＣ処理の実行後、ＰＣＡ内の試し書きデータが記録済みである終了端を含むクラスタ（ＥＣＣブロック）の、次のクラスタ内の先頭位置を示したセクタ番号等のアドレス情報を、例えば、ＲＭＡ（Recording Management Area）やＴＤＭＡ（Temporary Defect Management Area）等の管理情報記録領域に履歴情報として記録する。従って、次回のＯＰＣ処理において、当該情報記録装置が、情報記録媒体の管理情報記録領域に記録された履歴情報を参照することで、ＰＣＡ内の試し書きデータが未記録状態であるクラスタの先頭セクタを検索すること、即ち、ＰＣＡ内のどの位置まで試し書きデータが記録済みであるかを識別することが可能である。
【０００４】
しかしながら、第１の機能を保持する情報記録装置によれば、クラスタ単位でＯＰＣ処理を行うため、ウォブルやセクタ等のクラスタより小さな単位でＯＰＣ処理を行う場合と比較して、ＰＣＡを、より効率的に利用することができないという技術的な問題点がある。
【０００５】
加えて、第１の機能を保持する情報記録装置によれば、履歴情報が確実に記録されない場合や、履歴情報を参照しても未記録状態のクラスタの先頭セクタを正確に検索することができない場合がある。それらの場合、情報記録装置は、ＰＣＡ内のいずれのクラスタが未記録状態であるのかを識別することが不可能となり、その結果、試し書きデータが記録済みのクラスタにおいて、不正確なＯＰＣ処理を行ってしまうという技術的な問題点がある。
【０００６】
そこで、ＰＣＡ内の試し書きデータが記録済みである終了端に目印を記録する第２の機能を保持する情報記録装置も提案されている。より具体的には、この情報記録装置は、ＯＰＣ処理の実行と共に、設定された最適記録パワーによって、ＰＣＡ内の試し書きデータが記録済みである終了端に目印となる記録マーク、所謂、ＲＦマークの記録を行う。従って、次回のＯＰＣ処理において、当該情報記録装置が、このＲＦマークを検出することによって、情報記録媒体に記録された履歴情報に依存することなく、ＰＣＡ内のどの位置まで試し書きデータが記録済みであるかを識別することが可能である。その結果、ウォブルやセクタ等のクラスタより小さな単位でＯＰＣ処理を行う場合、このＲＦマークの検出と組み合わせることによって、ＰＣＡを、より効率的に利用することを実現することが可能となる。尚、特許文献１等に、所定間隔毎に、ＲＦマークを記録させる技術も開示されている。
【０００７】
【特許文献１】特開２００２−１２３９４０号公報
【特許文献２】特許第３１５９４５４号公報
【特許文献３】特開２００２−３５２５１７号公報
【発明の開示】
【発明が解決しようとする課題】
【０００８】
しかしながら、上述したＲＦマークを記録させる技術によれば、前述した第２の機能である、ＰＣＡ内の試し書きデータが記録済みである終了端に目印となるＲＦマークを記録する機能は、全ての情報記録装置において、標準機能として具備されていない。このため、仮に、情報記録媒体のＰＣＡにおいて、ＲＦマークが記録されていなければ、前述した第１の機能における履歴情報に基づいて、ＯＰＣ処理を行わなければならない。
【０００９】
その結果、クラスタより小さい単位でＯＰＣ処理を行う機能があるにも関わらず、当該情報記録装置は、その優れた機能を発揮できずに、クラスタ単位でＯＰＣ処理を行わなくてはならない。よって、ＰＣＡを、必要以上に無駄に消費してしまい、即ち、浪費してしまい、ＰＣＡのより効率的な利用を実現することができないという技術的な問題点がある。
【００１０】
本発明は、例えば上述した問題点に鑑みなされたものであり、例えば、各種多様な情報記録装置によって行われるＯＰＣ処理において、試し書き領域をより効率的に利用することが可能な情報記録媒体、並びに、該情報記録媒体に対して、より多数回のＯＰＣ処理の実行を可能ならしめる情報記録装置及び方法、並びにコンピュータをこのような情報記録装置として機能させるコンピュータプログラムを提供することを課題とする。
【課題を解決するための手段】
【００１１】
本発明の請求項１に記載の情報記録媒体は上記課題を解決するために、記録用のレーザ光を照射することによって、記録情報をトラックパスに沿って記録可能な記録領域（データエリア）と、前記レーザ光を照射することによって、前記レーザ光の較正用の前記トラックパスに沿って所定長を有する試し書き情報であってその終了端に光学的に検出可能な目印信号（ＲＦマーク）が選択的に付加される該試し書き情報を、前記トラックパスに沿って順番に記録するための試し書き領域（ＰＣＡ）と、前記目印信号が記録されているか否かを示すフラグ情報を記録するための管理情報記録領域（ＴＤＤＳ）とを備える。
【００１２】
本発明の請求項５に記載の情報記録装置は上記課題を解決するために、請求項１から４のいずれか一項に記載の情報記録媒体に前記記録情報を記録するため情報記録装置であって、少なくとも前記記録領域に前記レーザ光を照射することによって、少なくとも前記記録情報を前記トラックパスに沿って記録するため記録手段と、前記フラグ情報を前記管理情報記録領域から読み出す読出手段と、前記読み出されたフラグ情報に基づいて、前記目印信号が記録されているか否かを判定する判定手段と、前記判定手段の判定結果によって、前記目印信号が記録されている場合、前記試し書き領域において、当該目印信号を基準とした開始端から、前記試し書き情報を記録するように前記記録手段を制御する第１制御手段と、前記記録された試し書き情報を再生することにより、前記レーザ光の最適記録パワーを求める最適記録パワー検出手段と、前記試し書き情報が記録される終了端において、前記目印信号を選択的に該試し書き情報に付加して記録するように前記記録手段を制御する第２制御手段と、前記管理情報記録領域における前記フラグ情報を、前記目印信号が記録されている旨に更新する更新手段とを備える。
【００１３】
本発明の請求項８に記載の情報記録方法は上記課題を解決するために、請求項１から４のいずれか一項に記載の情報記録媒体の少なくとも前記記録領域に前記レーザ光を照射することによって、少なくとも前記記録情報を前記トラックパスに沿って記録するため記録手段を備えた情報記録装置における情報記録方法であって、前記フラグ情報を前記管理情報記録領域から読み出す読出工程と、前記読み出されたフラグ情報に基づいて、前記目印信号が記録されているか否かを判定する判定工程と、前記判定工程の判定結果によって、前記目印信号が記録されている場合、前記試し書き領域において、当該目印信号を基準とした開始端から、前記試し書き情報を記録するように前記記録手段を制御する第１制御工程と、前記記録された試し書き情報を再生することにより、前記レーザ光の最適記録パワーを求める最適記録パワー検出工程と、前記試し書き情報が記録される終了端において、前記目印信号を選択的に該試し書き情報に付加して記録するように前記記録手段を制御する第２制御工程と、前記管理情報記録領域における前記フラグ情報を、前記目印信号が記録されている旨に更新する更新工程とを備える。
【００１４】
本発明の請求項９に記載の情報記録用のコンピュータプログラムは上記課題を解決するために、請求項５に記載の情報記録装置に備えられたコンピュータを制御する記録制御用のコンピュータプログラムであって、該コンピュータを、前記記録手段、前記読出手段、前記判定手段、前記第１制御手段、前記最適記録パワー検出手段、前記第２制御手段、及び、更新手段の少なくとも一部として機能させる。
【発明を実施するための最良の形態】
【００１５】
以下、発明を実施するための最良の形態としての本発明の実施形態に係る情報記録媒体、情報記録装置及び方法、並びにコンピュータプログラムについて順に説明する。
【００１６】
（情報記録媒体の実施形態）
本発明の情報記録媒体に係る実施形態は、記録用のレーザ光を照射することによって、記録情報をトラックパスに沿って記録可能な記録領域（データエリア）と、前記レーザ光を照射することによって、前記レーザ光の較正用の前記トラックパスに沿って所定長を有する試し書き情報であってその終了端に光学的に検出可能な目印信号（ＲＦマーク）が選択的に付加される該試し書き情報を、前記トラックパスに沿って順番に記録するための試し書き領域（ＰＣＡ）と、前記目印信号が記録されているか否かを示すフラグ情報を記録するための管理情報記録領域（ＴＤＤＳ）とを備える。
【００１７】
本発明の情報記録媒体に係る実施形態によれば、例えば、データエリア等の記録領域と、該記録領域の例えば内周側及び外周側のうち少なくとも一方に、例えばＰＣＡ（Power Calibration Area）等の試し書き領域と、例えば、ＴＤＭＡ（Temporary Defect Management Area）内のＴＤＤＳ（Temporary Disc Definition Structure）等の管理情報記録領域とを備える。
【００１８】
試し書き領域においては、例えば所定ＯＰＣパターン等の試し書き情報が、一方端から他方端に向かうトラックパスに沿って、記録される。この試し書き領域において、光学的に検出可能な、例えばＲＦマーク等の目印信号が、試し書き情報が記録済みである終了端において記録される。ここに、本願発明に係る「目印信号」とは、所定の大きさのＲＦ信号を光学的に検出することが可能な記録ピットである。この目印信号は、ＯＰＣ処理の結果、最適記録パワーで記録されてもよいし、所定の大きさのＲＦ信号を得るために、比較的に大きな記録パワーによって記録されてもよい。特に、目印信号は、試し書き情報とは別に（即ち、試し書きの用途とは別に、専ら目印の用途で）、試し書き情報の終了端に隣接して配置されてもよい。或いは、目印信号は、試し書き情報の一部と兼用に（即ち、試し書きの用途と目印の用途との両方で）、試し書き情報の終了端に配置されてもよい。
【００１９】
管理情報記録領域においては、目印信号が、試し書き情報が記録済みである終了端において記録されているか否かを示すフラグ情報が記録される。特に、本実施形態によれば、後述される情報記録装置によって行われるＯＰＣ処理に際して、フラグ情報が識別されることによって、情報記録装置が保持するＯＰＣ処理に関する機能により適切に対応して、試し書き領域を、必要以上に無駄に消費してしまうことを大幅に抑制することが可能である。
【００２０】
仮に、フラグ情報が識別されない場合、全ての情報記録装置は、一律に、次のＯＰＣ処理が行われるクラスタの位置を示したセクタ番号等のアドレス情報を含む履歴情報に基づいて、ＯＰＣ処理を行わなければならない。特に、クラスタより小さい単位でＯＰＣ処理を行う機能がある情報記録装置は、その優れた機能を発揮できずに、クラスタ単位でＯＰＣ処理を行わなくてはならない。
【００２１】
これに対して、本実施形態によれば、情報記録装置によって、フラグ情報が識別されることによって、当該情報記録装置が保持するＯＰＣ処理に関する機能により適切に対応して、試し書き領域を、必要以上に無駄に消費してしまうことを大幅に抑制することが可能である。
【００２２】
より詳細には、試し書き領域において、試し書き情報が記録済みである終了端に、目印信号を記録する機能は、全ての情報記録装置において、標準機能として具備されていない。従って、目印信号を記録する機能を保持する情報記録装置によって、フラグ情報が識別され、情報記録媒体に目印信号が記録されている場合、この目印信号が記録されている試し書き情報が記録済みである終了端から、少なくともクラスタ単位で、ＯＰＣ処理を行うことが可能となる。
【００２３】
特に、クラスタより小さい単位でＯＰＣ処理を行う機能を保持する情報記録装置は、その優れた機能を発揮し、試し書き領域を、必要以上に無駄に消費してしまうことを大幅に抑制することが可能であり、試し書き領域のより効率的な利用を実現することが可能である。他方、この情報記録装置によって、フラグ情報が識別され、情報記録媒体に目印信号が記録されていない場合、今回に限り、履歴情報に基づいて、クラスタ単位でＯＰＣ処理を行う。次に、フラグ情報を、情報記録媒体に目印信号が記録されている旨に更新して、次回のＯＰＣ処理においては、例えば、クラスタより小さい単位でＯＰＣ処理を行うことが可能となる。
【００２４】
また、目印信号を記録する機能を保持しない情報記録装置によって、フラグ情報が識別され、情報記録媒体に目印信号が記録されていない旨に更新される。よって、次回のＯＰＣ処理が、目印信号を記録する機能を保持する情報記録装置によって行われた場合、履歴情報に基づくと共に、例えば、クラスタより小さい単位でＯＰＣ処理を行うことが可能となる。
【００２５】
以上より、数千から数万回だけ行われる可能性のあるＯＰＣ処理において、情報記録装置が保持するＯＰＣ処理に関する機能により適切に対応して、試し書き領域を、必要以上に無駄に消費してしまうことを大幅に抑制することが可能である。その結果、試し書き領域のより効率的な利用を実現することが可能である。
【００２６】
本発明の情報記録媒体に係る実施形態の一の態様は、前記管理情報記録領域においては、前記終了端に関するアドレス情報が、更に記録されている。
【００２７】
この態様によれば、管理情報記録領域においては、終了端に関するアドレス情報が記録されている。ここに、「終了端に関するアドレス情報」の「関する」とは、例えば、終了端を含むクラスタの次にアクセスされるクラスタ内の先頭位置を示したセクタ番号等の所定のアルゴリズムによって一義的に決定される関係を保持する意味である。
【００２８】
以上より、フラグ情報の識別の結果、当該情報記録媒体において、目印信号が記録されていない場合、このアドレス情報に従って、より迅速且つ的確に、ＯＰＣ処理を行うことが可能となる。
【００２９】
本発明の情報記録媒体に係る実施形態の他の態様は、前記情報記録媒体は、ウォブリングされたトラックを備えると共に、プリフォーマットアドレス情報が記録されており、
前記管理情報記録領域においては、前記所定長が前記プリフォーマットアドレス情報の管理単位で示された試し書き単位情報量が更に記録される。
【００３０】
この態様によれば、管理情報記録領域においては、記録用レーザ光の較正用の試し書き情報のトラックパスに沿った所定長が、プリフォーマットアドレス情報の管理単位で示された試し書き単位情報量が記録される。特に、本実施形態によれば、後述される情報記録装置によって行われるＯＰＣ処理に際して、例えば、１セクタより小さい管理単位等の試し書き単位情報量が識別されることによって、情報記録装置が保持するＯＰＣ処理に関する機能により適切に対応して、試し書き領域を、必要以上に無駄に消費してしまうことを大幅に抑制することが可能である。
【００３１】
本発明の情報記録媒体に係る実施形態の他の態様は、前記試し書き情報の記録を行う情報記録装置を識別するための識別情報（ドライブＩＤ）を記録するための識別情報記録領域を更に備える。
【００３２】
この態様によれば、情報記録装置によって取得される識別情報に基づいて、直近のＯＰＣ処理を行った記録装置が、前記情報記録装置と同一又は同種類の情報記録装置であるのか否かを判定することが可能となる。
【００３３】
以上より、フラグ情報に加えて又は代えてこの識別情報が取得されることによって、試し書き領域において、目印信号が、試し書き情報が記録済みである終了端において記録されているか否かを迅速且つ的確に識別することが可能となる。
【００３４】
（情報記録装置の実施形態）
本発明の情報記録装置に係る実施形態は、上述した本発明の情報記録媒体に係る実施形態（但し、その各種態様を含む）に前記記録情報を記録するため情報記録装置であって、少なくとも前記記録領域に前記レーザ光を照射することによって、少なくとも前記記録情報を前記トラックパスに沿って記録するため記録手段と、前記フラグ情報を前記管理情報記録領域から読み出す読出手段と、前記読み出されたフラグ情報に基づいて、前記目印信号が記録されているか否かを判定する判定手段と、前記判定手段の判定結果によって、前記目印信号が記録されている場合、前記試し書き領域において、当該目印信号を基準とした開始端から、前記試し書き情報を記録するように前記記録手段を制御する第１制御手段と、前記記録された試し書き情報を再生することにより、前記レーザ光の最適記録パワーを求める最適記録パワー検出手段と、前記試し書き情報が記録される終了端において、前記目印信号を選択的に該試し書き情報に付加して記録するように前記記録手段を制御する第２制御手段と、前記管理情報記録領域における前記フラグ情報を、前記目印信号が記録されている旨に更新する更新手段とを備える。
【００３５】
本発明の情報記録装置に係る実施形態によれば、先ず情報記録媒体が装填されると、例えば、光ピックアップ等の読出手段によりシーク動作が行われ、フラグ情報を含む、情報記録媒体の記録及び再生処理に必要な各種管理情報が管理情報記録領域から読み出される。この管理情報に基づいて、例えばホスト装置又はバックエンド等からの指示に応じて、情報記録媒体へのアクセスが行われる。
【００３６】
次に、判定手段の制御下で、読み出されたフラグ情報に基づいて、目印信号が記録されているか否かが判定される。
【００３７】
この判定結果によって、目印信号が記録されている場合、第１制御手段の制御下で、試し書き領域において、当該目印信号を基準とした開始端から、試し書き情報を記録するように記録手段は制御される。より詳細には、ホスト装置等から書き込みのコマンドが入力されると、記録手段が、試し書き領域の目印信号を基準として次にアクセスされる、例えば、クラスタより小さい単位へ移動されると共に、第１制御手段の制御下で、順次段階的に記録レーザパワーが切り換えられて、試し書き情報が、試し書き領域に記録される。そして、ＯＰＣ処理用に、一段のパワーステップで（即ち、記録レーザパワーが一定で）記録される。
【００３８】
次に、最適記録パワー検出手段の制御下で、試し書き領域において試し書き情報の試し書きの完了後には、最適記録パワー検出手段による制御下で、試し書きされた試し書き情報が再生され、再生された試し書き情報のサンプリングが順次行われて、最適記録パワーが求められる。
【００３９】
次に、第２制御手段の制御下で、例えば、求められた最適記録パワーで、試し書き情報が記録される終了端において、目印信号を選択的に該試し書き情報に付加して記録するように、記録手段が制御される。
【００４０】
一連のＯＰＣ処理の最後に、更新手段によって、管理情報記録領域におけるフラグ情報が、目印信号が記録されている旨に更新される。
【００４１】
以上より、数千から数万回だけ行われる可能性のあるＯＰＣ処理において、目印信号が記録されている、又は、記録されていない情報記録媒体により適切に対応して、試し書き領域を、必要以上に無駄に消費してしまうことを大幅に抑制することが可能である。その結果、試し書き領域のより効率的な利用を実現することが可能である。
【００４２】
本発明の情報記録装置に係る実施形態の一の態様は、前記情報記録媒体は、ウォブリングされたトラックを備えると共に、プリフォーマットアドレス情報が記録されており、前記第１制御手段は、前記プリフォーマットアドレス情報の管理単位より小さいスロット単位に基づいて、前記試し書き情報を記録するように前記記録手段を制御し、前記最適記録パワー検出手段は、前記スロット単位に基づいて、前記記録された試し書き情報を再生することにより、前記レーザ光の最適記録パワーを求める。
【００４３】
この態様によれば、クラスタ等の、ランドプリピットにより示されたプリフォーマットアドレス情報の管理単位より小さい、例えば、ウォブル等のスロット単位に基づいて、試し書き情報の記録時と再生時とのタイミング合わせが可能となる。よって、限られた試し書き領域において、ＯＰＣ処理をより多くの回数だけ実行することが可能となる。
【００４４】
その結果、試し書き領域のより効率的な利用を実現することが可能である。
【００４５】
本発明の情報記録装置に係る実施形態の他の態様は、前記情報記録媒体の前記管理情報記録領域においては、前記終了端に関するアドレス情報が、更に記録されており、前記第１制御手段は、前記判定手段の判定結果によって、前記目印信号が記録されていない場合、前記アドレス情報を基準として予め設定された管理単位で、前記試し書き情報を記録するように前記記録手段を制御し、前記更新手段は、前記フラグ情報を、前記目印信号が記録されている旨に更新すると共に、前記アドレス情報を新しく更新する。
【００４６】
この態様によれば、次回のＯＰＣ処理においては、終了端に関するアドレス情報に基づくと共に、例えば、クラスタより小さい単位等の予め設定された管理単位で、ＯＰＣ処理を行うことが可能となる。
【００４７】
その結果、試し書き領域のより効率的な利用を実現することが可能である。
【００４８】
（情報記録方法の実施形態）
本発明の情報記録方法に係る実施形態は、上述した本発明の情報記録媒体に係る実施形態（但し、その各種態様を含む）の少なくとも前記記録領域に前記レーザ光を照射することによって、少なくとも前記記録情報を前記トラックパスに沿って記録するため記録手段を備えた情報記録装置における情報記録方法であって、前記フラグ情報を前記管理情報記録領域から読み出す読出工程と、前記読み出されたフラグ情報に基づいて、前記目印信号が記録されているか否かを判定する判定工程と、前記判定工程の判定結果によって、前記目印信号が記録されている場合、前記試し書き領域において、当該目印信号を基準とした開始端から、前記試し書き情報を記録するように前記記録手段を制御する第１制御工程と、前記記録された試し書き情報を再生することにより、前記レーザ光の最適記録パワーを求める最適記録パワー検出工程と、前記試し書き情報が記録される終了端において、前記目印信号を選択的に該試し書き情報に付加して記録するように前記記録手段を制御する第２制御工程と、前記管理情報記録領域における前記フラグ情報を、前記目印信号が記録されている旨に更新する更新工程とを備える。
【００４９】
本発明の情報記録方法に係る実施形態によれば、上述した本発明の情報記録装置に係る実施形態が有する各種利益を享受することが可能となる。
【００５０】
尚、上述した本発明の情報記録装置に係る実施形態が有する各種態様に対応して、本発明の情報記録方法に係る実施形態も各種態様を採ることが可能である。
【００５１】
（コンピュータプログラムの実施形態）
本発明のコンピュータプログラムに係る実施形態は、上述した本発明の情報記録装置に係る実施形態（但し、その各種態様を含む）に備えられたコンピュータを制御する記録制御用のコンピュータプログラムであって、該コンピュータを、前記記録手段、前記読出手段、前記判定手段、前記第１制御手段、前記最適記録パワー検出手段、前記第２制御手段、及び、更新手段の少なくとも一部として機能させる。
【００５２】
本発明に係るコンピュータプログラムの実施形態によれば、当該コンピュータプログラムを格納するＲＯＭ、ＣＤ−ＲＯＭ、ＤＶＤ−ＲＯＭ、ハードディスク等の記録媒体から、当該コンピュータプログラムをコンピュータに読み込んで実行させれば、或いは、当該コンピュータプログラムを、通信手段を介してコンピュータにダウンロードさせた後に実行させれば、上述した本発明の情報記録装置に係る実施形態を比較的簡単に実現できる。
【００５３】
尚、上述した本発明の情報記録装置に係る実施形態における各種態様に対応して、本発明のコンピュータプログラムに係る各実施形態も各種態様を採ることが可能である。
【００５４】
本発明のこのような作用及び他の利得は次に説明する実施例から更に明らかにされる。
【００５５】
以上説明したように、本発明の情報記録媒体に係る実施形態は、試し書き領域と、管理情報記録領域とを備える。また本発明の情報記録装置又は方法に係る実施形態は、記録手段と、読出手段と、判定手段と、第１制御手段と、最適記録パワー検出手段と、第２制御手段とを、又は読出工程と、判定工程と、第１制御工程と、最適記録パワー検出工程と、第２制御工程とを備える。従って、数千から数万回だけ行われる可能性のあるＯＰＣ処理において、情報記録装置が保持するＯＰＣ処理に関する機能により適切に対応して、試し書き領域を、必要以上に無駄に消費してしまうことを大幅に抑制することが可能である。その結果、試し書き領域のより効率的な利用を実現することが可能である。
【実施例】
【００５６】
以下、本発明の実施例を図１から図１１を参照して、説明する。以下の実施例は、本発明の情報記録媒体を追記型光ディスクに適用し、本発明の情報記録装置をこの追記型光ディスク用の情報記録再生装置に適用した例である。
【００５７】
（情報記録媒体の実施例）
まず、本発明の実施例の追記型光ディスクの記録構造並びにその光ディスクに記録された情報及びデータについて説明する。図１は、本発明の情報記録媒体の実施例である追記型光ディスクの記録領域の構造を示した記録領域構造の図式的概念図である。尚、図１中の左側が追記型光ディスク１００の内周側であり、図１中の右側が光ディスク１００の外周側である。
【００５８】
図１に示すように、光ディスク１００の記録面上には、その最内周側にＰＣＡ（Power Calibration Area）１１０、が存在し、以下その外周に向けて、リードインエリア１０１、一時的ディフェクト管理エリア（ＴＤＭＡ：Temporary Defect Management Area）１０４、スペアエリア１０９、データエリア１０２、スペアエリア１１０、一時的ディフェクト管理エリア（ＴＤＭＡ）１０５、リードアウトエリア１０３が配置されている。
【００５９】
ＰＣＡ１１０は、後述されるＯＰＣ処理、即ち、最適記録パワーの検出、即ち、記録レーザパワーのキャリブレーション（較正）の際に使用される記録領域である。より詳細には、このＰＣＡ１１０内の１回目のＯＰＣ処理においては、例えば、クラスタより小さい単位において、矢印（図１中、右方向の矢印を参照）で示された、内周側から外周側に向かって、レーザ光の記録パワーを、順次増大させて試し書き情報が記録される。以下、同様にして、２回目、３回目、……、ｎ回目と内周側に向かって、ＯＰＣ処理が行われるように構成してもよい。
【００６０】
一時的ディフェクト管理エリア（ＴＤＭＡ）１０４においては、本発明に係る「管理情報記録領域」の一具体例であるＴＤＤＳ（Temporary Disc Definition Structure）１５０（図２参照）が設けられている。
【００６１】
リードインエリア１０１及びリードアウトエリア１０３には、夫々、光ディスク１００への情報ないしデータの記録・読取を制御及び管理するための制御情報及び管理情報等が記録される。リードインエリア１０１内には、確定的ディフェクト管理エリア（ＤＭＡ：Defect Management Area）１０６が設けられている。リードアウトエリア１０３内にも、確定的ディフェクト管理エリア（ＤＭＡ）１０７が設けられている。尚、光ディスク１００が、ＢＤ−ＲＥ（Blu-ray Disc REwritable）の場合、確定的ディフェクト管理エリア１０６の内周側近傍には、本発明に係る「識別情報」の一例を構成するドライブＩＤ２２０（図２参照）を記録するためのドライブエリア２３０が設けられるように構成してもよい。
【００６２】
確定的ディフェクト管理エリア１０６及び１０７には、夫々、例えば、ディフェクト管理情報が記録される。
【００６３】
ここで、ディフェクト管理情報について説明する。ディフェクト管理情報は、後述される情報記録再生装置３００（図３参照）により行われるディフェクト管理に用いられる情報である。情報記録再生装置３００は、光ディスク１００に記録データを記録するとき、又は光ディスク１００から記録データを再生するときにディフェクト管理を行う。本実施例においてディフェクト管理とは、主に、光ディスク１００のデータエリア１０２上に傷、塵埃又は劣化等のディフェクトが存在するときに、そのディフェクトが存在する場所を避けて記録データを記録すると共に、退避データをスペアエリア１０９又は１１０に記録するといったものである。また、データエリア１０２に記録された記録データを再生するときに、ディフェクトの存在する位置を認識し、ディフェクトの存在する位置に本来記録されるべきであった又は記録されていた記録データを、スペアエリア１０９又は１１０から読み取るといった処理もディフェクト管理の一環として行われる。このようなディフェクト管理を行うためには、情報記録再生装置３００がデータエリア１０２内におけるディフェクトの存在位置等を認識する必要がある。ディフェクト管理情報は、主として情報記録再生装置３００がディフェクトの存在位置等を認識するために用いられる。
【００６４】
データエリア１０２には、画像データ、音声データ、コンテンツデータなどといった記録データが記録される。データエリア１０２は記録データを記録するための主たる領域である。スペアエリア１０９及び１１０は、データエリア１０２内のディフェクトから記録データを退避させるための代替記録領域である。即ち、データエリア１０２にディフェクトが存在するときに、そのディフェクトが存在する場所に記録すべきであった記録データ又はその場所に記録されていた記録データ（以降、このような記録データを適宜“退避データ”と称する）は、スペアエリア１０９又は１１０に代替的に記録される。
【００６５】
一時的ディフェクト管理エリア１０４及び１０５には、夫々、ディフェクト管理情報が一時的に記録される。尚、確定的ディフェクト管理エリア１０６及び１０７にもディフェクト管理情報が記録されるが、確定的ディフェクト管理エリア１０６及び１０７と一時的ディフェクト管理エリア１０４及び１０５との相違については、後述する。又、本実施例では、分割されたディフェクト管理情報が該一時的ディフェクト管理エリア１０４又は１０５に記録されることとなる。係る記録の態様についても後述する。
【００６６】
次に、図２を参照して、本発明に係る管理情報記録領域の一具体例であるＴＤＤＳのデータ構造について詳細に説明する。ここに、図２は、本発明に係る管理情報記録領域の一具体例であるＴＤＤＳのデータ構造を示した図式的なデータ構造図である。
【００６７】
図２に示されるように、ＴＤＤＳ１５０は、ＴＤＤＳヘッダ１５１、その他の情報１５２（１５３）、ＮＡＰ（Next Available PCA）アドレス２１０、ＮＡＰアドレス２１１、ＯＰＣコード２００、及び、ドライブＩＤ２２０を備えて構成されている。
【００６８】
ＴＤＤＳヘッダ１５１は、このＴＤＤＳ１５０の位置情報や属性情報が記録されている。
【００６９】
ＮＡＰアドレス２１０は、本願発明に係る「アドレス情報」の一具体例である。より詳細には、ＮＡＰアドレス２１０は、例えば、光ディスク１００が、２層型である場合、Ｌ０層において、次にＯＰＣ処理を行うことができるクラスタ等の記録領域の単位内の先頭位置を示したセクタ番号である。同様にして、ＮＡＰアドレス２１１は、Ｌ１層において、次にＯＰＣ処理を行うことができるクラスタ等の記録領域の単位内の先頭位置を示したセクタ番号である。
【００７０】
ＯＰＣコード２００は、本願発明に係る「フラグ情報」の一具体例であるＲＦマークフラグ２０１、及び、本願発明に係る「試し書き単位情報量」の一具体例であるＯＰＣ長２０２を備えて構成されている。このＯＰＣコード２００は、１バイトのデータ量を保持し、最初のビット位置（図２中の「ｂｉｔ０」）において、ＲＦマークフラグ２０１が記録され、２から８番目のビット位置（図２中の「ｂｉｔ１」から「ｂｉｔ７」）において、ＯＰＣ長２０２の値が記録されている。
【００７１】
ＲＦマークフラグ２０１の「値」が、「０」の場合、当該光ディスク１００に対する直近のＯＰＣ処理においては、本願発明に係る「目印信号」の一具体例であるＲＦマークの記録が行なわれていないことを意味する。他方、ＲＦマークフラグ２０１の「値」が、「１」の場合、ＲＦマークの記録が行なわれたことを意味する。
【００７２】
ＯＰＣ長２０２の「値」は、その「値」のセクタ数以上、且つ、「値＋１」のセクタ数未満の大きさの記録領域を単位として、ＯＰＣ処理が行われたことを意味するように構成してもよい。より具体的には、ＯＰＣ長２０２の「値」が「１」であれば、１セクタ以上、且つ、２セクタ未満の大きさの記録領域を単位として、ＯＰＣ処理が行われたことを意味し、以下、同様にして、ＯＰＣ長２０２の「値」が「３１」であれば、３１セクタ以上、且つ、３２セクタ未満の大きさの記録領域を単位として、ＯＰＣ処理が行われたことを意味する。特に、ＯＰＣ長２０２の「値」が「３２」であれば、１ＥＣＣクラスタの記録領域を単位として、ＯＰＣ処理が行われたことを意味し、ＯＰＣ長２０２の「値」が「３３」であれば、２ＥＣＣクラスタの記録領域を単位として、ＯＰＣ処理が行われたことを意味し、ＯＰＣ長２０２の「値」が「３４」であれば、３ＥＣＣクラスタ以上の記録領域を単位として、ＯＰＣ処理が行われたことを意味するように構成してもよい。尚、ＯＰＣ長２０２の「値」が「３５」から「１２７」のフィールドは、予備としてフィールドは空白にしておいてもよい。
【００７３】
ドライブＩＤ２２０は、本願発明に係る「識別番号」の一具体例であり、より詳細には、ドライブ製造メーカコード２２１、追加情報２２２、及び、ドライブ固有ＩＤ２２３を備えて構成されている。
【００７４】
ドライブ製造メーカコード２２１は、直近のＯＰＣ処理を行った情報記録装置の製造メーカを識別する識別番号であるようにしてもよい。
【００７５】
追加情報２２２は、直近のＯＰＣ処理を行った情報記録装置の性能や機能等の属性情報であるようにしてもよい。
【００７６】
ドライブ固有ＩＤ２２３は、直近のＯＰＣ処理を行った情報記録装置を一意に特定することが可能な製造識別番号であるようにしてもよい。
【００７７】
（情報記録再生装置）
次に、図３を参照して本発明の情報記録装置の第１実施例に係る情報記録再生装置の基本構成について説明する。ここに、図３は、本発明の情報記録装置の第１実施例に係る情報記録再生装置の基本構成を概念的に示すブロック図である。
【００７８】
図３に示すように、本実施例に係る情報記録再生装置３００は、スピンドルモータ３０１、光ピックアップ３１０、ヘッドアンプ３１１、ＲＦ検出器３１２、サーボ回路３１５、ＬＤドライバ３２０、ウォブル検波器３２５、ＬＰＰデータ検出器３２６、エンベロープ検波器３３０、ＯＰＣパターン生成器３４０、タイミング生成器３４５、データ収集器３５０、バッファ３６０、ＤＶＤモジュレータ３７０、データＥＣＣ生成器３８０、バッファ３８５、インタフェース３９０、ＣＰＵ（Central Processing Unit）４００、及び、メモリ４０１を備えて構成されている。
【００７９】
スピンドルモータ３０１は、サーボ回路３１５等によりスピンドルサーボを受けつつ所定速度で光ディスク１００を回転させるように構成されている。
【００８０】
光ピックアップ３１０は、光ディスク１００への記録又は再生を行うもので、半導体レーザ装置、各種レンズ、アクチュエータ等から構成される。より詳細には、光ピックアップ３１０は、光ディスク１００に対してレーザ光を、再生時には読み取り光として第１のパワーで照射し、記録時には書き込み光として第２のパワーで且つ変調させながら照射する。光ピックアップ３１０は、サーボ回路３１５により駆動される図示しないアクチュエータ、スライダ等により光ディスク１００の半径方向等に移動できるように構成されている。
【００８１】
ヘッドアンプ３１１は、光ピックアップ３１０の出力信号（即ち、レーザ光ＬＢの反射光）を増幅し、該増幅した信号を出力する。具体的には、読取信号たるＲＦ信号がＲＦ検出器３１２及びエンベロープ検波器３３０に出力され、プッシュプル信号がウォブル検出器３２５やＬＰＰデータ検出器３２６へ出力される。
【００８２】
ＲＦ検出器３１２は、ＲＦ信号を検出し、復調等を施すことで、再生データをバッファ３８５及びインタフェース３９０経由で外部へ出力可能に構成されている。そして、インタフェース３９０に接続された外部出力機器（例えば、液晶ディスプレイやプラズマディスプレイ等の表示デバイス、或いはスピーカ等）において、所定のコンテンツが再生出力されることとなる。
【００８３】
サーボ回路３１５は、光ピックアップ３１０の受光結果を処理して得られるトラッキングエラー信号及びフォーカスエラー信号等に基づいて、光ピックアップ３１０の対物レンズを移動し、これによりトラッキング制御及びフォーカス制御等の各種サーボ処理を実行する。また、光ディスク１００におけるウォブリングされたグルーブトラックのウォブルから得られるウォブル信号を基準にして、スピンドルモータ３０１をサーボ制御するように構成されている。
【００８４】
ＬＤドライバ３２０は、後述のＯＰＣ処理時には、後述のＯＰＣパターンの記録及び再生処理により最適記録パワーの決定が行えるように、光ピックアップ３１０内に設けられた半導体レーザを駆動する。その後、ＬＤドライバ３２０は、データ記録時には、ＯＰＣ処理により決定された最適記録パワーで、光ピックアップ３１０の半導体レーザを駆動するように構成されている。このデータ記録時には、最適記録パワーは、記録データに応じて変調される。
【００８５】
尚、上述したスピンドルモータ３０１、光ピックアップ３１０、サーボ回路３１５及びＬＤドライバ３２０等を含めて、本発明に係る「記録手段」の一具体例を構成している。
【００８６】
ウォブル検出器３２５は、光ピックアップ３１０内に設けられた反射光ビームを受光する検出器たるヘッドアンプ３１１からの受光量に応じた出力信号に基づいて、ウォブル信号を示すプッシュプル信号を検出すると共にタイミング生成器３４５へ出力するように構成されている。
【００８７】
ＬＰＰデータ検出器３２６は、光ピックアップ３１０内に設けられた反射光ビームを受光する検出器たるヘッドアンプ３１１からの受光量に応じた出力信号に基づいて、ＬＰＰ信号を示すプッシュプル信号を検出し、例えば後述の如くプリフォーマットアドレス情報を検出可能に構成されている。そして、当該プリフォーマットアドレス情報をタイミング生成器３４５へ出力可能に構成されている。
【００８８】
エンベロープ検波器３３０は、ＯＰＣ処理におけるＯＰＣパターンの再生時に、ＣＰＵ４００の制御下で、最適記録パワーを決定するために、ヘッドアンプ３１１からの出力信号たるＲＦ信号のエンベロープ検波のピーク値及びボトム値を検出するように構成されている。係るエンベロープ検波器３３０は、例えばＡ／Ｄ（Analog/Digital）コンバータ等を含んでいるように構成されてもよい。
【００８９】
ＯＰＣパターン発生器３４０は、記録動作前のＯＰＣ処理におけるＯＰＣパターンの記録時に、タイミング生成器３４５からのタイミング信号に基づいて、ＯＰＣパターンを示す信号を、ＬＤドライバ３２０に対して出力するように構成されている。
【００９０】
タイミング生成器３４５は、ＯＰＣ処理におけるＯＰＣパターンの記録時に、ＬＰＰデータ検出器３２６より入力されるプリフォーマットアドレス情報に基づき、該プリフォーマットアドレス情報（例えば、ＡＤＩＰワード）の管理単位を基準とした絶対位置情報を検出する。それと同時に、ウォブル信号を示すプッシュプル信号の周期に基づいて、プリフォーマットアドレス情報の管理単位より小さいスロット単位（例えば、ウォブル信号の一周期の自然数倍の長さに相当するスロット単位）を基準とした相対位置情報を検出する。よって、タイミング生成器３４５は、ＯＰＣ処理における記録開始位置がプリフォーマットアドレス情報の管理単位、即ち、各ＡＤＩＰワードの境界から開始されるか否かにかかわらず、その記録開始位置を特定することが可能であり、以後、ウォブル検出器３２５から出力されたウォブル信号を示すプッシュプル信号の周期に基づいて、ＯＰＣパターンを書き込むタイミング信号を生成して出力する。他方、タイミング生成器３４５は、ＯＰＣ処理におけるＯＰＣパターンの再生時に、記録時と同様にして、その再生開始位置を特定することが可能であり、以後、ウォブル検出器３２５から出力されたウォブル信号を示すプッシュプル信号の周期に基づいて、再生されたＯＰＣパターンをサンプリングするタイミング信号を生成して出力する。
【００９１】
データ収集器３５０は、主としてメモリ一般である。例えば、外付ＲＡＭ等から構成されている。エンベロープ検波器３３０で検波されたエンベロープがデータ収集器３５０に格納され、これに基づいて、ＣＰＵ４００における最適記録パワーの検出、即ち、ＯＰＣ処理が実行される。
【００９２】
バッファ３６０は、ＤＶＤモジュレータ３７０より変調された記録データを格納し、ＬＤドライバ３２０に出力可能に構成されている。
【００９３】
ＤＶＤモジュレータ３７０は、記録データに対してＤＶＤ変調を施し、バッファ３６０に出力可能に構成されている。ＤＶＤ変調として、例えば８／１６変調が施されてもよい。
【００９４】
データＥＣＣ生成器３８０は、インタフェース３９０より入力される記録データに対してエラー訂正用の符号を付加する。具体的には、所定のブロック単位（例えば、ＥＣＣクラスタ単位）毎にＥＣＣコードを付加し、ＤＶＤモジュレータ３７０へ出力する。
【００９５】
バッファ３８５は、ＲＦ検出器３１２から出力される再生データを格納し、インタフェース３９０を介して、外部出力機器へ出力する。
【００９６】
インタフェース３９０は、外部入力機器より記録データ等の入力を受け付け、データＥＣＣ生成器３８０へ出力する。また、例えばスピーカやディスプレイ等の外部出力機器に対して、ＲＦ検出器３１２より出力される再生データを出力可能に構成されていてもよい。
【００９７】
ＣＰＵ４００は、最適記録パワーを検出するために、例えば、ＬＤドライバ３２０、サーボ回路３１５等の各手段へ指示する、即ちシステムコマンドを出力することで、情報記録再生装置３００全体の制御を行う。通常、ＣＰＵ４００が動作するためのソフトウェアは、内部のメモリ内に格納されていてもよい。
【００９８】
メモリ４０１は、当該情報記録再生装置３００の属性を示した情報として、前述したＯＰＣ長２０２に対応する情報としてＯＰＣ長２０２ａ、及び、同じく前述したドライブＩＤ２２０に対応する情報を格納するように構成してもよい。よって、光ディスク１００に記録されるＯＰＣコード２００、及び、ドライブＩＤ２２０をより迅速且つ的確に更新することが可能となる。
【００９９】
尚、上述したＣＰＵ４００、エンベロープ検波器３３０、ＯＰＣパターン発生器３４０、タイミング生成器３４５及びＬＤドライバ３２０等を含めて、本発明に係る「最適記録パワー検出手段」の一具体例を構成している。また、ＣＰＵ４００によって、本発明に係る「判定手段」、「第１制御手段」及び「第２制御手段」の一具体例を構成している。
【０１００】
尚、図３に示す情報記録再生装置３００は、概ね光ピックアップ３１０、ＬＤドライバ３２０、バッファ３６０、ＤＶＤモジュレータ３７０、データＥＣＣ生成器３８０、その他の構成要素によりデータの記録が可能な情報記録装置として機能し、また概ね光ピックアップ３１０、ヘッドアンプ３１１、ＲＦ検出器３１２、その他の構成要素によりデータの再生が可能な情報再生装置としても機能することはいうまでもない。
【０１０１】
次に図４から図６を参照して、本発明の情報記録装置の第１実施例に係る情報記録再生装置による最適記録パワーを検出するＯＰＣ処理、即ち記録レーザパワーのキャリブレーションについて説明する。ここに「最適記録パワー」とは、文字通り情報の記録に最も適したレーザパワーを示すことに限らず、記録時においてより適切に情報を記録することできる程度のレーザパワーをも含んだ広い趣旨である。より具体的には、アシンメトリーの影響を最小にし、例えば記録特性の品質を表すジッタ値が最小付近となるような最も優れた再生品質が得られるように記録するための記録レーザパワーである。また、「アシンメトリー（Ａｓｙｍｍｅｔｒｙ）」とは、光ディスクの量産時に短ピット又は長ピットがその長さ方向の前後に同じ量だけ、少しずつ長く、或いは短くなる現象である。本実施例では、後述される「アシンメトリー値」によってこのアシンメトリーの影響の度合いが定量的に示される。ここに、図４は、本発明の情報記録装置の第１実施例に係る情報記録再生装置における１１パワーステップの場合の１回のＯＰＣ処理を示した模式的タイミングチャート図である。図５は、本発明の情報記録装置の第１実施例に係る情報記録再生装置における１回のＯＰＣ処理におけるパワーステップ毎のアシンメトリー値をプロットしたグラフ図である。ここに、「パワーステップ」とは、ＯＰＣ処理において、最適記録パワーを検出するために、記録レーザの光強度（パワー）を切り換える段階のことである。図６は、本発明の情報記録装置の第１実施例に係る情報記録再生装置における１回のＯＰＣ処理のうち、一つのパワーステップの詳細を示した波形図である。
【０１０２】
図４において、グラフ（ａ）の縦軸は、記録レーザパワーの値を示し、横軸は、パワーステップごとに時分割された時間軸を示す。グラフ（ｂ）は、生成された記録レーザが、例えば２Ｔパルスの短ピットパルス用と、例えば８Ｔパルスの長ピットパルス用とに交互に切り換えられて照射される時間区間を示す。グラフ（ｃ）は、例えば１１個の異なるレーザパワーのキャリブレーションのために記録レーザが照射されるタイミングを矢印で示す。グラフ（ｄ）の縦軸は、再生ＲＦ信号の振幅電圧を示す。グラフ（ｅ）は、再生ＲＦ信号の振幅中心電圧を算出するためのサンプリングタイミングを矢印で示す。
【０１０３】
本実施例においては、光ディスクのＯＰＣエリアには、図４のグラフ（ａ）で示されるように、キャリブレーション用の記録レーザが、例えば１１個のパワーステップごとに時分割されて、１１個の異なるレーザパワーで照射される。この際、各パワーステップにおいて、例えば、２―３変調した信号の最短ピットと最長ピットのテスト信号である例えば２Ｔパルスの短ピットパルスと、例えば８Ｔパルスの長ピットパルスとが交互に切換えられて生成された記録レーザが照射され、記録が行われる。ここでは、図３に示したように、一つのパワーステップの前半が、短ピットパルスを記録するための時間に割り当てられ、“短ピット区間”とされる。他方、該一つのパワーステップの後半が、長ピットパルスを記録するための時間に割り当てられ、“長ピット区間”とされる。
【０１０４】
図５に示されるように、本実施例では、“アシンメトリー値＝０”となるパワーステップに対応するレーザパワーが最適記録パワーとして決定される。尚、図５の縦軸は、このようなアシンメトリー値“ｅ−ｆ”を示し、横軸はパワーステップを示す。矢印は、“ｅ＝ｆ”となり、“アシンメトリー値＝０”となるパワーステップを示す。
【０１０５】
以上のように本実施例における最適記録パワーの検出、即ち、記録レーザパワーのキャリブレーション（較正）は、“アシンメトリー値＝０”となるパワーステップに対応する最適記録パワーを求めることとして実施される。特に、ＯＰＣパターンの記録時とＯＰＣパターンの再生時とでは、所定の基準によって、両者間のタイミング合わせが可能とされている。
【０１０６】
尚、１回のＯＰＣ処理におけるパワーステップの数は、１１個に限らず、例えば１０〜２０個程度でもよい。或いは、それ以下でもよいし、それ以上でもよい。また、本実施例では、２Ｔマークと８Ｔマークとを用いてＯＰＣパターンを構成しているが、これら以外の３Ｔマーク、７Ｔマーク等を用いることも可能である。
【０１０７】
次に、図６に示されるように、本実施例では、各パワーステップについて、一つの短ピット区間に複数個（図６では、５個）の２Ｔマークが２Ｔパルスによって記録され、一つの長ピット区間に複数個（図６では、２個）の８Ｔマークが８Ｔパルスによって記録される。このような短ピット区間と長ピット区間との一対が、即ち、所定パターンを有する複数のＯＰＣピットが、「ＯＰＣパターン」とされる。図６に示した如きＯＰＣパターンが、レーザパワーが順次切り替えられつつ、パワーステップの回数だけ（即ち１１回）繰り返し記録されることで、１回のＯＰＣ処理が完了する。
【０１０８】
以上の如き１回のＯＰＣ処理によって、図６に示した如き各パワーステップに対するＯＰＣパターンの記録が１１パワーステップについて完了すると、その後、これを再生する処理が行われる。具体的には、１１パワーステップ分のＯＰＣパターンの記録完了後に、ＯＰＣエリアに照射されるレーザが、記録レーザから再生レーザへと切り替えられ（例えば、レーザパワーが記録レーザパワーと比べて顕著に弱い再生レーザパワーへと変えられ）、該再生レーザの照射によって、エンベロープ検波等を含む再生処理が次のように行われる。
【０１０９】
ＯＰＣ処理における再生時には、例えば短ピット区間に形成されたＯＰＣピット（即ち、２Ｔマーク）に対応する再生ＲＦ信号のエンベロープのピーク値とボトム値が図４のグラフ（ｅ）で示されたサンプリングタイミングでサンプリングされ、振幅中心電圧が算出される。グラフ（ｅ）では、この算出された振幅中心電圧の各パワーステップの値が黒丸でプロットされ、それらの値を結んだ補間線が黒線で示されている。同様にして、例えば長ピット区間に形成されたＯＰＣピット（即ち、８Ｔマーク）に対応する再生ＲＦ信号の算出された振幅中心電圧の各パワーステップの値が白丸でプロットされ、それらの値を結んだ補間線が点線で示されている。この２つの補間線の交点が二重丸で示され、この交点に対応するパワーステップのレーザパワーが、最適記録パワーとして決定される。
【０１１０】
より詳細には、図６に示すように、短ピット区間に再生される再生ＲＦ信号のエンベロープのピーク値を“ａ”とし、ボトム値を“ｂ”とする。尚、“ａ”と“ｂ”は、前述のように、サンプリングタイミング時に収集される。この両者の平均値、即ち、算出された振幅中心電圧を“ｅ”とする。即ち“ｅ＝（ａ＋ｂ）／２”である。同様にして、長ピット区間に再生される再生ＲＦ信号のエンベロープのピーク値を“ｃ”、ボトム値を“ｄ”、そして、算出された振幅中心電圧を“ｆ＝（ｃ＋ｄ）／２”とする。
【０１１１】
本実施例では、アシンメトリーの影響の度合いを“ｅ”と“ｆ”との比較によって判定する。図６においては、振幅中心電圧“ｅ”が“ｆ”より大きく両者は一致していない。即ち、前述した「アシンメトリー値」を“ｅ−ｆ”と定義する。そして、“ｅ＝ｆ”となり、“アシンメトリー値＝０”となるパワーステップに対応するレーザパワーを最適記録パワーと決定する。
【０１１２】
（第１実施例に係る情報記録再生装置よるＯＰＣ処理及びＲＦマークの記録動作）
次に図７を参照して、本発明の情報記録装置の第１実施例に係る情報記録再生装置による、ＯＰＣ処理及びＲＦマークの記録動作について説明する。特に、第１実施例に係る情報記録再生装置は、本発明に係る「目印信号」の一具体例であるＲＦマークを記録する機能、及び、ウォブルやセクタ等のクラスタより小さい単位でＯＰＣ処理を行う機能を保持する情報記録再生装置を意味する。ここに、図７は、本発明の情報記録装置の第１実施例に係る情報記録再生装置によるＯＰＣ処理及び記録動作の流れを示したフローチャートである。
【０１１３】
先ず、図７において、光ディスク１００が装填されると、先ず、ＣＰＵ４００の制御下で、光ピックアップ３１０によりシーク動作が行われ、ＯＰＣコード２００が取得される。より詳細には、光ディスク１００への記録処理において必要な各種管理情報（記録層の数、トラックパスの方向、及び、トラックピッチ等）が取得されると同時に、光ディスク１００のメディアタイプの識別が行なわれ、例えばＢＤ−Ｒ（Blu-ray Disc Recordable）として識別される（ステップＳ１０１）。
【０１１４】
続いて、ＣＰＵ４００の制御下で、ＮＡＰ（Next available PCA）アドレスが、取得される（ステップＳ１０２）。より詳細には、例えば、２層型光ディスクの場合、ステップＳ１０１において取得された記録層に関する情報に基づいて、ＯＰＣ処理を行う記録層がＬ０層であれば、Ｌ０層におけるＮＡＰアドレス２１０が取得される。他方、ＯＰＣ処理を行う記録層がＬ１層であれば、Ｌ０層におけるＮＡＰアドレス２１１が取得される。
【０１１５】
続いて、ＣＰＵ４００の制御下で、ステップＳ１０１において取得されたＯＰＣコード２００に含まれるＲＦマークフラグ２０１が「１」であるか否かが判定される（ステップＳ１０３）。ここで、ＲＦマークフラグ２０１が「１」である場合（ステップＳ１０３：Ｙｅｓ）、更に、ＣＰＵ４００の制御下で、光ディスクから取得したＯＰＣ長２０２の値と、第１実施例に係る情報記録再生装置が保持するＯＰＣ長２０２ａの値とが一致するか否かが判定される（ステップＳ１０４）。ここで、取得したＯＰＣ長２０２の値と、情報記録再生装置が保持するＯＰＣ長２０２ａの値とが一致しない場合（ステップＳ１０４：Ｎｏ）、取得したＯＰＣ長２０２の値が、情報記録再生装置が保持するＯＰＣ長２０２ａの値になるように、ＯＰＣコード２００が更新される（ステップＳ１０５）。
【０１１６】
続いて、更新されたＯＰＣコード２００が、ＴＤＤＳ１５０に記録される（ステップＳ１０６）。
【０１１７】
他方、取得したＯＰＣ長２０２の値と、情報記録再生装置が保持するＯＰＣ長２０２ａの値とが一致する場合（ステップＳ１０４：Ｙｅｓ）、ステップＳ１０５及びステップＳ１０６は省略される。
【０１１８】
続いて、ステップＳ１０２において取得されたＮＡＰアドレス２１０を起点として、ＲＦマークが探索される（ステップＳ１０７）。より詳細には、取得したＯＰＣ長２０２の値に基づいて、より迅速且つ的確に探索を行えるようにアルゴリズムを設定してもよい。
【０１１９】
続いて、探索の結果、ＲＦマークを検出した位置からＯＰＣ処理が実行される（ステップＳ１０８）。
【０１２０】
他方、ステップＳ１０３の判定の結果、ＲＦマークフラグ２０１が「１」でない場合（ステップＳ１０３：Ｎｏ）、取得したＲＦマークフラグ２０１が、「１」になるように、ＯＰＣコード２００が更新される（ステップＳ１０９）。
【０１２１】
続いて、更新されたＯＰＣコード２００が、ＴＤＤＳ１５０に記録される（ステップＳ１１０）。
【０１２２】
続いて、ステップＳ１０２において取得されたＮＡＰアドレス２１０を含むクラスタを対象としてＯＰＣ処理が実行される（ステップＳ１１１）。
【０１２３】
一連のＯＰＣ処理の終了後に、ＲＦマークが、例えば、最適記録パワーによって、ＰＣＡ１１０内の、試し書き情報が記録済みである終了端において記録される（ステップＳ１１２）。
【０１２４】
（本実施例の作用効果の検討）
次に、図８及び図９を参照して、本発明の実施例に係るＯＰＣ処理の作用効果について検討する。ここに、図８は、本発明の情報記録装置の第１実施例において、ＰＣＡ内のＯＰＣ処理の一具体例を図式的に示した概念図（図８（ａ））及び他の具体例を図式的に示した概念図（図８（ｂ））である。ここに、図９は、比較例において、ＰＣＡ内のＯＰＣ処理を図式的に示した概念図である。
【０１２５】
一般に、ＰＣＡ内のどの位置まで試し書き情報が記録されているかは、記録された情報のＲＦ再生信号を検出することにより識別することが可能である。前述したように、ＰＣＡ内では、ＯＰＣ処理のために、微弱なパワー（図８中のＳｔｅｐ１を参照）から強力なパワー（図８中のＳｔｅｐ１１を参照）まで、様々な記録レーザパワーによって試し書き情報の記録が行われる。
【０１２６】
ここで、図８（ａ）に示されるように、比較例に係る情報記録再生装置による３回目のＯＰＣ処理によって、「Ａ」地点付近において、微弱な記録レーザパワー（Ｓｔｅｐ１）で試し書き情報が記録されていた後に、４回目のＯＰＣ処理が行われる場合について考察する。この４回目のＯＰＣ処理においては、微弱な記録レーザパワーで試し書き情報が記録されている「Ａ」地点付近の記録領域を未記録状態であると判定してしまう可能性がある。従ってこの「Ａ」地点より外周側に位置すると共に、比較的に強い記録レーザパワーで試し書き情報が記録されている図８（ｂ）に示される「Ｂ」地点を、試し書き情報が記録済みである終了端として誤認識してしまう可能性がある。この誤認識の結果、「Ｂ」地点より内周側から４回目のＯＰＣ処理が行われた場合、「Ａ」地点から「Ｂ」地点においては、試し書き情報の二重記録が発生するため、正確なＯＰＣ処理を実現することができなくなってしまう。
【０１２７】
これに対して、本発明の実施例に係るＯＰＣ処理によれば、情報記録装置によって、ＲＦマークがＰＣＡ１１０の試し書き情報が記録済みである終了端において記録されているか否かを示すＲＦマークフラグ２０１が識別される。よって、情報記録装置によって、比較例における微弱な記録レーザパワーで記録されていることによる終了端の誤認識を防止する役割を担うＲＦマークが、記録されているか否かを的確に識別することが可能である。従って、当該情報記録装置が保持するＯＰＣ処理に関する機能をより効率的に引き出すことが可能となる。
【０１２８】
より詳細には、ＰＣＡ１１０において、試し書き情報が記録済みである終了端に、ＲＦマークを記録する機能は、全ての情報記録装置において、標準機能として具備されていない。従って、ＲＦマークを記録する機能を保持する情報記録装置によって、フラグ情報が識別され、情報記録媒体にＲＦマークが記録されている場合、図８（ａ）に示されるように、ＰＣＡ１１０において、このＲＦマークが記録されている試し書き情報が記録済みである終了端から、少なくともクラスタ単位で、ＯＰＣ処理を行うことが可能となる。特に、クラスタより小さい単位でＯＰＣ処理を行う機能を保持する情報記録装置は、その優れた機能を発揮し、ＰＣＡ１１０を、必要以上に無駄に消費してしまうことを大幅に抑制することが可能であり、ＰＣＡ１１０のより効率的な利用を実現することが可能である。他方、この情報記録装置によって、ＲＦマークフラグ２０１が識別され、情報記録媒体にＲＦマークが記録されていない場合、今回に限り、履歴情報に基づいて、クラスタ単位でＯＰＣ処理を行う。次に、ＲＦマークフラグ２０１を、情報記録媒体にＲＦマークが記録されている旨に更新して、次回のＯＰＣ処理においては、例えば、クラスタより小さい単位でＯＰＣ処理を行うことが可能となる。尚、図８（ｂ）に示されるように、ＯＰＣ処理の試し書き情報の記録に際して、レーザパワーを高いパワーから低いパワーへと、順番に変えることによって、最初のＳｔｅｐ１における試し書きを、ＲＦマークの代わりにしてもよい。
【０１２９】
また、ＲＦマークを記録する機能を保持しない情報記録装置によって、ＲＦマークフラグ２０１が識別され、情報記録媒体にＲＦマークが記録されていない旨に更新される。よって、次回のＯＰＣ処理が、ＲＦマークを記録する機能を保持する情報記録装置によって行われた場合、履歴情報に基づくと共に、例えば、クラスタより小さい単位でＯＰＣ処理を行うことが可能となる。
【０１３０】
以上より、数千から数万回だけ行われる可能性のあるＯＰＣ処理において、情報記録装置が保持するＯＰＣ処理に関する機能により適切に対応して、ＰＣＡ１１０を、必要以上に無駄に消費してしまうことを大幅に抑制することが可能である。その結果、ＰＣＡ１１０のより効率的な利用を実現することが可能である。
【０１３１】
（第２実施例に係る情報記録再生装置よるＯＰＣ処理及びＲＦマークの記録動作）
次に図１０を参照して、本発明の情報記録装置の第２実施例に係る情報記録再生装置による、ＯＰＣ処理及びＲＦマークの記録動作について説明する。第２実施例に係る情報記録再生装置の構成及び基本動作は、第１実施例に係る情報記録再生装置と概ね同様である。特に、第２実施例に係る情報記録再生装置は、本発明に係る「目印信号」の一具体例であるＲＦマークを記録する機能、及び、クラスタ単位でＯＰＣ処理を行う機能を保持する情報記録再生装置を意味する。ここに、図１０は、本発明の情報記録装置の第２実施例に係る情報記録再生装置によるＯＰＣ処理及びＲＦマークの記録動作を示したフローチャートである。また、図１０において、前述した図７と同様のステップには、同様のステップ番号を付し、それらのステップの説明は省略する。
【０１３２】
図１０に示されるように、第２実施例に係る情報記録再生装置は、常にクラスタ単位でＯＰＣ処理を行う。このため、ステップＳ１０７に示された、取得されたＮＡＰアドレス２１０を起点とした、ＲＦマークの探索、及び、ステップＳ１０８に示された、ＲＦマークを検出した位置からのＯＰＣ処理の実行は省略される。
【０１３３】
言い換えると、ステップＳ１０２において取得されたＮＡＰアドレス２１０を含むクラスタを対象としてＯＰＣ処理が常時実行される（ステップＳ１１１）。
【０１３４】
一連のＯＰＣ処理の終了後に、ＲＦマークが、例えば、最適記録パワーによって、ＰＣＡ１１０内の、試し書き情報が記録済みである終了端において記録される（ステップＳ１１２）。
【０１３５】
このように、第２実施例に係る情報記録再生装置によって、ＲＦマークフラグ２０１が識別され、ＰＣＡ１１０において、ＲＦマークが記録されている場合、及び、記録されていない場合、少なくとも今回において、履歴情報に基づいて、クラスタ単位でＯＰＣ処理が行われる。次に、ＲＦマークフラグ２０１を、情報記録媒体にＲＦマークが記録されている旨に更新して、次回のＯＰＣ処理においては、例えば、第１実施例に係る情報記録再生装置によって、クラスタより小さい単位でＯＰＣ処理を行うことも可能となる。
【０１３６】
以上より、フラグ情報が識別されることによって、第２実施例に係る情報記録再生装置が保持するＯＰＣ処理に関する機能により適切に対応して、試し書き領域を、必要以上に無駄に消費してしまうことを大幅に抑制することが可能である。
【０１３７】
（第３実施例に係る情報記録再生装置よるＯＰＣ処理）
次に図１１を参照して、本発明の情報記録装置の第３実施例に係る情報記録再生装置による、ＯＰＣ処理について説明する。第３実施例に係る情報記録再生装置の構成及び基本動作は、第１実施例に係る情報記録再生装置と概ね同様である。特に、第３実施例に係る情報記録再生装置は、本発明に係る「目印信号」の一具体例であるＲＦマークを記録する機能を保持せず、少なくともクラスタ単位でＯＰＣ処理を行う機能を保持する情報記録再生装置を意味する。ここに、図１１は、本発明の情報記録装置の第３実施例に係る情報記録再生装置によるＯＰＣ処理を示したフローチャートである。また、図１１において、前述した図７と同様のステップには、同様のステップ番号を付し、それらのステップの説明は省略する。
【０１３８】
図１１に示されるように、第１実施例と同様にして、ステップＳ１０１及びステップＳ１０２が行われる。
【０１３９】
次に、取得したＲＦマークフラグ２０１が、「０」になるように、ＯＰＣコード２００が更新される（ステップＳ３０１）。
【０１４０】
このように、第３実施例に係る情報記録再生装置によって、ＲＦマークフラグ２０１が識別され、情報記録媒体にＲＦマークが記録されていない旨に更新される。よって、次回のＯＰＣ処理が、ＲＦマークを記録する機能を保持する情報記録装置によって行われた場合、履歴情報に基づくと共に、例えば、クラスタより小さい単位でＯＰＣ処理を行うことが可能となる。
【０１４１】
以上より、フラグ情報が識別されることによって、第３実施例に係る情報記録再生装置が保持するＯＰＣ処理に関する機能により適切に対応して、試し書き領域を、必要以上に無駄に消費してしまうことを大幅に抑制することが可能である。
【０１４２】
本実施例では、情報記録媒体の一具体例として、例えば、ＣＤ−Ｒ、ＤＶＤ−Ｒ又はＢＤ−Ｒ等の大容量記録媒体の追記型光ディスク、及び、情報記録装置の一具体例として、例えば、該追記型光ディスクの情報記録再生装置について説明したが、本発明は、例えば、ＣＤ−Ｒ／Ｗ、ＤＶＤ−Ｒ／Ｗ又はＢＤ−ＲＥ（Blu-ray Disc REwritable）等の大容量記録媒体の書き換え型光ディスク、及び、該書き換え型光ディスクの情報記録再生装置にも適用可能である。
【０１４３】
本発明は、上述した実施例に限られるものではなく、請求の範囲及び明細書全体から読み取れる発明の要旨或いは思想に反しない範囲で適宜変更可能であり、そのような変更を伴う情報記録媒体、情報記録装置及び方法もまた本発明の技術的範囲に含まれるものである。
【図面の簡単な説明】
【０１４４】
【図１】本発明の情報記録媒体の一実施例である追記型光ディスクの記録領域の構造を示した記録領域構造の図式的概念図である。
【図２】本発明に係る管理情報記録領域の一具体例であるＴＤＤＳのデータ構造を示した図式的なデータ構造図である。
【図３】本発明の情報記録装置の第１実施例に係る情報記録再生装置の基本構成を概念的に示すブロック図である。
【図４】本発明の情報記録装置の第１実施例に係る情報記録再生装置における１１パワーステップの場合の１回のＯＰＣ処理を示した模式的タイミングチャート図である。
【図５】本発明の情報記録装置の第１実施例に係る情報記録再生装置における１回のＯＰＣ処理におけるパワーステップ毎のアシンメトリー値をプロットしたグラフ図である。
【図６】本発明の情報記録装置の第１実施例に係る情報記録再生装置における１回のＯＰＣ処理のうち、一つのパワーステップの詳細を示した波形図である。
【図７】本発明の情報記録装置の第１実施例に係る情報記録再生装置によるＯＰＣ処理及びＲＦマークの記録動作を示したフローチャートである。
【図８】本発明の情報記録装置の第１実施例において、ＰＣＡ内のＯＰＣ処理を図式的に示した概念図である。
【図９】比較例において、ＰＣＡ内のＯＰＣ処理を図式的に示した概念図である。
【図１０】本発明の情報記録装置の第２実施例に係る情報記録再生装置によるＯＰＣ処理及びＲＦマークの記録動作を示したフローチャートである。
【図１１】本発明の情報記録装置の第３実施例に係る情報記録再生装置によるＯＰＣ処理を示したフローチャートである。
【符号の説明】
【０１４５】
１…センターホール、１０…トラック、１１…セクタ、１００…光ディスク、１０１…リードインエリア、１０２…データエリア、１０３…リードアウトエリア、１５０…ＴＤＤＳ、２００…ＯＰＣコード、２０１…ＲＦマークフラグ、２０２…ＯＰＣ長、２１０（２１１）…ＮＡＰアドレス、２２０…ドライブＩＤ、３００…情報記録再生装置、３０１…スピンドルモータ、３１０…光ピックアップ、３１１…ヘッドアンプ、ＲＦ検出器…３１２、サーボ回路…３１５、ＬＤドライバ…３２０、３２５…ウォブル検波器、３２６…ＬＰＰデータ検出器、３３０…エンベロープ検波器、３４０…ＯＰＣパターン生成器、３４５…タイミング生成器、３５０…データ収集器、３６０…バッファ、３７０…ＤＶＤモジュレータ、３８０…データＥＣＣ生成器、３８５…バッファ、３９０…インタフェース、４００…ＣＰＵ、４０１…メモリ、ＬＢ…レーザ光
【図１】
2006172569.tif 000003
【図２】
2006172569.tif 000004
【図３】
2006172569.tif 000005
【図４】
2006172569.tif 000006
【図５】
2006172569.tif 000007
【図６】
2006172569.tif 000008
【図７】
2006172569.tif 000009
【図８】
2006172569.tif 000010
【図９】
2006172569.tif 000011
【図１０】
2006172569.tif 000012
【図１１】
2006172569.tif 000013